(57)【要約】【課題】  本発明は、現金による入金を完全に排除した入金処理方法等を提供する。【解決手段】  本発明の電子マネーの入金処理方法は、ＩＣカード５に記憶されている電子マネー情報を読み出し、電子マネー情報と支払金額とを比較して、前記電子マネー情報が支払金額を満たしていない場合において、少なくとも前記不足額を満たすだけの入金額を設定／決定し、振込元金融機関口座を特定し、特定される振込元金融機関口座に対応する振込先金融機関口座を特定し、振込元金融機関に対して、決定される入金額を振込元金融機関口座から振込先金融機関口座に振込指示し、その振込指示に基づいて振込元金融機関の端末から振込手続処理をした旨の通知を受信し、その通知に基づいて電子マネー情報に入金額を加算するとともに、入金額が加算された電子マネー情報から支払金額を減算して電子マネー情報を更新し、ＩＣカード５に記録する方法である。【選択図】      図４
2005122472.tif 000002
【特許請求の範囲】
【請求項１】
ＩＣカードに記憶されている電子マネー情報が商品等の支払金額に満たない場合の電子マネーの入金処理システムであって、
予め電子マネー情報と振込元となる少なくとも１つの振込元金融機関口座情報とを記憶するための記憶部を備えるＩＣカードと、前記ＩＣカードと接続され前記ＩＣカードに対して情報の読出／記録が可能な端末と、前記端末と通信回線を介して接続されているサーバと、を具備し、
前記端末は、
前記ＩＣカードに記憶されている電子マネー情報を読み出すための読出手段と、
前記電子マネー情報と支払金額とを比較して、前記電子マネー情報が支払金額を満たしているか否かを判定するための不足金発生判定手段と、
前記判定結果が、前記電子マネー情報が支払金額に満たない場合において、
少なくとも前記不足額を満たすだけの金額を設定し、前記ＩＣカードに入金する入金額を決定するための入金額決定手段と、
前記ＩＣカードに記憶されている振込元金融機関口座情報と前記入金額情報とをサーバに送信する情報送信手段と、
前記サーバによって更新された電子マネー情報を受信する受信手段と、
前記更新された電子マネー情報を前記ＩＣカードに記録するための記録手段と、を具備し、
前記サーバは、
前記振込元金融機関口座情報と前記入金額情報とを受信する情報受信手段と、
電子マネー情報と、振込先金融機関口座情報と、を記憶するための記憶部と、
予めＩＣカードに記憶されている単数、又は複数の振込元金融機関口座情報から振込元金融機関口座を特定するための振込元金融機関口座特定手段と、
前記特定される振込元金融機関口座に対応する振込先金融機関口座を前記記憶部から特定するための振込先金融機関口座特定手段と、
前記振込元金融機関に対して、前記決定される入金額を前記特定される振込元金融機関口座から前記振込先金融機関口座に振込指示するための振込指示手段と、
前記振込指示に基づいて振込元金融機関の端末から振込手続処理を完了した旨の通知を受信するための通知受信手段と、
前記通知に基づいて前記サーバの記憶部に記憶されている前記電子マネー情報に前記入金額を加算するとともに、前記入金額が加算された電子マネー情報から支払金額を減算して前記電子マネー情報を更新するための電子マネー情報更新手段と、
前記更新された電子マネー情報を前記端末に送信するための更新情報送信手段と、
を具備することを特徴とする電子マネーの入金処理システム。
【請求項２】
前記振込先金融機関口座は、前記特定される振込元金融機関口座と同一金融機関の同一本店、又は同一支店の口座であることを特徴とする請求項１に記載の電子マネーの入金処理システム。
【請求項３】
前記振込元金融機関口座特定手段は、ＩＣカードに記憶されている振込元金融機関口座情報が単数、又は複数ある場合において、前記ＩＣカードに記憶されている順に、前記振込元金融機関口座情報により指定される振込元金融機関口座の振込元金融機関と接続し、前記振込元金融機関口座の、残預金額と、残融資限度額と、残預金額と残融資限度額とを合算した額と、のいずれか１つが前記入金額以上であるか否かを判定するための残高判定手段を備え、前記判定結果に基づいて振込元金融機関口座が特定されることを特徴とする請求項１に記載の電子マネーの入金処理システム。
【請求項４】
予め電子マネー情報が記憶されているＩＣカードにより商品等の支払を行う際に前記電子マネー情報が支払金額に満たない場合の電子マネー情報の入金処理方法であって、
前記ＩＣカードに記憶されている電子マネー情報を読み出すための読出工程と、
前記電子マネー情報と支払金額とを比較して、前記電子マネー情報が支払金額を満たしているか否かを判定するための不足金発生判定工程と、
前記判定結果が、前記電子マネー情報が支払金額に満たない場合において、
少なくとも前記不足額を満たすだけの金額を設定し、前記ＩＣカードに入金する入金額を決定するための入金額決定工程と、
単数、又は複数の振込元金融機関口座情報から口座を特定するための振込元金融機関口座特定工程と、
前記特定される振込元金融機関口座に対応する振込先金融機関口座を特定するための振込先金融機関口座特定工程と、
前記振込元金融機関に対して、前記決定される入金額を前記振込元金融機関口座から前記振込先金融機関口座に振込指示するための振込指示工程と、
前記振込指示に基づいて振込元金融機関の端末から振込手続処理を完了した旨の通知を受信するための通知受信工程と、
前記通知に基づいて前記電子マネー情報に前記入金額を加算するとともに、前記入金額が加算された電子マネー情報から支払金額を減算して前記電子マネー情報を更新するための電子マネー情報更新工程と、
前記更新された電子マネー情報を前記ＩＣカードに記録するための記録工程と、
を具備することを特徴とする電子マネーの入金処理方法。
【請求項５】
請求項１に記載の電子マネーの入金処理システムに含まれるサーバであって、
前記サーバは、
前記振込元金融機関口座情報と前記入金額情報とを受信する情報受信手段と、
電子マネー情報と、振込先金融機関口座情報と、を記憶するための記憶部と、
予めＩＣカードに記憶されている単数、又は複数の振込元金融機関口座情報から入金可能な口座を探し出して、振込元金融機関口座を特定するための振込元金融機関口座特定手段と、
前記特定される振込元金融機関口座に対応する振込先金融機関口座を前記記憶部から特定するための振込先金融機関口座特定手段と、
前記振込元金融機関に対して、前記決定される入金額を前記特定される振込元金融機関口座から前記振込先金融機関口座に振込指示するための振込指示手段と、
前記振込指示に基づいて振込元金融機関の端末から振込手続処理を完了した旨の通知を受信するための通知受信手段と、
前記通知に基づいて前記サーバの記憶部に記憶されている前記電子マネー情報に前記入金額を加算するとともに、前記入金額が加算された電子マネー情報から支払金額を減算して前記電子マネー情報を更新するための電子マネー情報更新手段と、
前記更新された電子マネー情報を前記端末に送信するための更新情報送信手段と、
を具備することを特徴とする電子マネーの入金処理システムに含まれるサーバ。
【請求項６】
請求項１に記載の電子マネーの入金処理システムに含まれる端末であって、
前記端末は、
前記ＩＣカードに記憶されている電子マネー情報を読み出すための読出手段と、
前記電子マネー情報と支払金額とを比較して、前記電子マネー情報が支払金額を満たしているか否かを判定するための不足金発生判定手段と、
前記判定結果が、前記電子マネー情報が支払金額に満たない場合において、
少なくとも前記不足額を満たすだけの金額を設定し、入金額を決定するための入金額決定手段と、
前記ＩＣカードに記憶されている振込元金融機関口座情報と前記入金額情報とをサーバに送信する情報送信手段と、
前記サーバによって更新された電子マネー情報を受信する受信手段と、
前記更新された電子マネー情報を前記ＩＣカードに記録するための記録手段と、
を具備することを特徴とする電子マネーの入金処理システムに含まれる端末。
【発明の詳細な説明】
【技術分野】
【０００１】
本発明は、ＩＣカードに記憶されている電子マネー情報が商品等の支払金額に満たない場合の電子マネーの入金処理方法等に関する。
【背景技術】
【０００２】
電子マネーカードとは、電子技術を使用して金銭取引を行うカードである。このカードの一般的な形態としては、ＩＣチップ等の記憶装置が内部に埋め込まれているＩＣカードである。このカードは所定の入金機から現金を入金することにより、当該入金額に見合う貨幣数値（電子データ）が記憶装置に書き込まれて記憶される。カードを使用すると使用した分の金額に見合う貨幣数値が予め記憶装置に記憶されている貨幣数値から引かれ新たな貨幣数値が記憶装置に記憶される。このカードは貨幣数値が０になるまで使用可能である。また、再度入金機から入金することにより繰り返し使用することができる。
【０００３】
通常、上記ＩＣカードは限られた場所に設置された専用の入金機まで出向いて入金する操作が必要となる。
【発明の開示】
【発明が解決しようとする課題】
【０００４】
したがって、店舗で商品等を購入する際に、ＩＣカードに記憶された貨幣数値が購入金額より少ないと、差額の残金を現金で支払うか、専用の入金機により入金した後、商品を購入するという手続が必要になり、面倒であった。また、現代に於いて、お金は通常銀行等の金融機関に預金されており、預金引き出しの為に銀行またはＡＴＭが存在する場所に行く必要が生じる。
【０００５】
本発明が解決しようとする課題には、上記した問題が一例として挙げられる。
【０００６】
そこで、本発明は、現金による入金を完全に排除した入金処理方法等を提供することを目的とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
本発明の電子マネーの入金処理システム（１００）は、ＩＣカードに記憶されている電子マネー情報が商品等の支払金額に満たない場合の電子マネーの入金処理システムであって、予め電子マネー情報と振込元となる少なくとも１つの振込元金融機関口座情報とを記憶するための記憶部（７）を備えるＩＣカード（５）と、前記ＩＣカードと接続され前記ＩＣカードに対して情報の読出／記録が可能な端末（１０）と、前記端末と通信回線を介して接続されているサーバ（３０）と、を具備し、前記端末は、前記ＩＣカードに記憶されている電子マネー情報を読み出すための読出手段（１２）と、前記電子マネー情報と支払金額とを比較して、前記電子マネー情報が支払金額を満たしているか否かを判定するための不足金発生判定手段（１６）と、前記判定結果が、前記電子マネー情報が支払金額に満たない場合において、少なくとも前記不足額を満たすだけの金額を設定し、前記ＩＣカードに入金する入金額を決定するための入金額決定手段（１７）と、前記ＩＣカードに記憶されている振込元金融機関口座情報と前記入金額情報とをサーバに送信する情報送信手段（１５）と、前記サーバによって更新された電子マネー情報を受信する受信手段（１５）と、前記更新された電子マネー情報を前記ＩＣカードに記録するための記録手段（１３）と、を具備し、前記サーバは、前記振込元金融機関口座情報と前記入金額情報とを受信する情報受信手段（３１）と、電子マネー情報と、振込先金融機関口座情報と、を記憶するための記憶部（３２）と、予めＩＣカードに記憶されている単数、又は複数の振込元金融機関口座情報から振込元金融機関口座を特定するための振込元金融機関口座特定手段（３６）と、前記特定される振込元金融機関口座に対応する振込先金融機関口座を前記記憶部から特定するための振込先金融機関口座特定手段（３６）と、前記振込元金融機関に対して、前記決定される入金額を前記特定される振込元金融機関口座から前記振込先金融機関口座に振込指示するための振込指示手段（３３）と、前記振込指示に基づいて振込元金融機関の端末から振込手続処理を完了した旨の通知を受信するための通知受信手段（３１）と、前記通知に基づいて前記サーバの記憶部に記憶されている前記電子マネー情報に前記入金額を加算するとともに、前記入金額が加算された電子マネー情報から支払金額を減算して前記電子マネー情報を更新するための電子マネー情報更新手段（３５）と、前記更新された電子マネー情報を前記端末に送信するための更新情報送信手段（３１）と、を具備することを特徴とする。また、前記振込先金融機関口座は、前記特定される振込元金融機関口座と同一金融機関の同一本店、又は同一支店の口座であることを特徴とする。また、前記振込元金融機関口座特定手段は、ＩＣカードに記憶されている振込元金融機関口座情報が単数、又は複数ある場合において、前記ＩＣカードに記憶されている順に、前記振込元金融機関口座情報により指定される振込元金融機関口座の振込元金融機関と接続し、前記振込元金融機関口座の、残預金額と、残融資限度額と、残預金額と残融資限度額とを合算した額と、のいずれか１つが前記入金額以上であるか否かを判定するための残高判定手段（３７）を備え、前記判定結果に基づいて振込元金融機関口座が特定されるようにしてもよい。
【０００９】
また、本発明の電子マネーの入金処理方法は、予め電子マネー情報が記憶されているＩＣカードにより商品等の支払を行う際に前記電子マネー情報が支払金額に満たない場合の電子マネー情報の入金処理方法であって、前記ＩＣカードに記憶されている電子マネー情報を読み出すための読出工程と、前記電子マネー情報と支払金額とを比較して、前記電子マネー情報が支払金額を満たしているか否かを判定するための不足金発生判定工程と、前記判定結果が、前記電子マネー情報が支払金額に満たない場合において、少なくとも前記不足額を満たすだけの金額を設定し、前記ＩＣカードに入金する入金額を決定するための入金額決定工程と、単数、又は複数の振込元金融機関口座情報から口座を特定するための振込元金融機関口座特定工程と、前記特定される振込元金融機関口座に対応する振込先金融機関口座を特定するための振込先金融機関口座特定工程と、前記振込元金融機関に対して、前記決定される入金額を前記振込元金融機関口座から前記振込先金融機関口座に振込指示するための振込指示工程と、前記振込指示に基づいて振込元金融機関の端末から振込手続処理を完了した旨の通知を受信するための通知受信工程と、前記通知に基づいて前記電子マネー情報に前記入金額を加算するとともに、前記入金額が加算された電子マネー情報から支払金額を減算して前記電子マネー情報を更新するための電子マネー情報更新工程と、前記更新された電子マネー情報を前記ＩＣカードに記録するための記録工程と、を具備することを特徴とする。
【００１０】
このようにすれば、例えば、商品等の購入、又は注文等の支払をする際にＩＣカードに記憶されている電子マネー残高が足りない場合でも、容易且つ確実に入金を行って商品等の支払いが出来る。
【発明を実施するための最良の形態】
【００１１】
以下、本願の電子マネー入金・支払システムの実施形態について図１乃至図７を用いて説明する。図１は電子マネー入金システムの全体構成図、図２は電子マネー入金システムの内部構成図、図３はメニューパネル装置の外観図、図４は商品等の支払処理における不足金発生時の自動入金処理を示すフローチャート図、図５はＩＣカードに記憶される金融機関情報等の登録・変更処理を示すフローチャート図、図６はＩＣカードに記憶されている金融機関の残高照会処理を示すフローチャート図、図７はＩＣカードの手動入金処理を示すフローチャート図である。
【００１２】
図１、図２に示すように、本願の電子マネー入金システム１００は、複数の店舗２、２、…、２と、管理会社２９のサーバ３０と、複数の金融機関４０と、から構成される。金融機関４０は、本店４５と、複数の支店４５ａと、を備えている。また、店舗２には、複数のメニューパネル装置１０、１０、…、１０を備えている。また、金融機関４０の本店４５、又は支店４５ａは、それぞれ管理端末４７、４８を備えている。また、管理会社２９とは、例えば、ＩＣカード５やメニューパネル装置１０を総合的に運営・管理する会社である。また、金融機関４０は、銀行等である。
【００１３】
また、メニューパネル装置１０とサーバ３０、及びサーバ３０と金融機関４０の本店４５、又は支店４５ａの管理端末４７、４８は通信回線６０、６１を介して接続される。また、金融機関４０の本店４５の管理端末４７と支店４５ａの管理端末４８は、専用回線６２を介して接続される。通信回線６０、６１、及び専用回線６２は、有線、無線を問わない。また、例えば、通信回線６０、６１は、専用回線、インターネット通信網等を利用する。
【００１４】
メニューパネル装置１０は、例えば、ファミリーレストラン等の店舗２の各テーブルに備えられる。店舗２を利用する顧客は、このメニューパネル装置１０を使用して、メニューの注文から支払処理までの一連の処理を顧客自らが行うことができる。また、メニューパネル装置１０はＩＣカード５と電波を介して接続し、相互に所定の情報を送受信する。これにより、メニューパネル装置１０は、ＩＣカード５に記憶された電子マネーを利用して商品等の支払処理を行うことができる。
【００１５】
ＩＣカード５は、内部にＩＣチップ６を備えている。このＩＣチップ６は記憶部７として機能する。また、記憶部７には、個人を特定するためのユーザＩＤ情報、振込元金融機関口座情報、貨幣数値情報が記憶される。なお、貨幣数値情報とは、入金額に見合う貨幣数値である。また、振込元金融機関口座情報とは、利用者が預金している金融機関の口座等を特定するための情報であり、銀行コード情報、支店コード情報、預金種別情報、口座名義人名情報、口座番号情報、暗号情報等である。
【００１６】
また、ＩＣカード５の記憶部７には、通常、所定の入金機から所定の金額を入金することにより、当該入金額に見合う貨幣数値情報（以下、「電子マネー情報」と称する。）が記憶される。
【００１７】
これにより、ＩＣカード５は、記憶部７に記憶されている電子マネー情報を限度として商品等の支払いを行える。この場合、電子マネー情報は、ＩＣカード５に記憶されている電子マネー情報から商品等の支払い分の金額に見合う貨幣数値が引かれて更新され、更新された電子マネー情報が新たにＩＣカード５の記憶部７に記憶される。
【００１８】
メニューパネル装置１０の外観は、図３に示すように、提供する商品等のメニューを表示するメニュー表示部２０と、注文名、金額等の表示や支払等における処理の説明等を表示するための表示部２５と、所定の処理を行うためのボタン類（例えば、実行ボタン２２ａ、登録変更ボタン２２ｂ、残高照会ボタン２２ｃ、入金ボタン２２ｄ、注文／購入ボタン２２ｅ）と、ＩＣカード載置部２１と、を備えている。
【００１９】
利用者は、メニュー表示部２０に表示されるメニューの中から注文するメニューを選択する。選択は指等で押圧するだけでよい。選択したメニューは注文名、金額、総計等が表示部２５に表示される。また、支払は電子マネー機能を備えているＩＣカード５を利用して行うことができる。
【００２０】
メニューパネル装置１０は、ＩＣカード５を認識するための認識部１１と、ＩＣカード５に記憶されている情報を読み出すための読出部１２と、ＩＣカード５に所定の情報（電子マネー情報）を記録するための記録部１３と、振込元金融機関口座情報の指定や電子マネーとしてＩＣカードに入金する入金額を入力するための指定・入力部１４と、サーバ３０と相互に情報を送受信するための通信部１５と、ＩＣカード５に記憶されている電子マネー情報と支払金額とを比較して、当該電子マネー情報が支払金額を満たしているか否かを判定するための判定部１６と、入金額の設定／決定をするための入金額設定／決定部１７と、各部１１〜１７を制御するための制御部１８と、を備えている。また、制御部１８は各部１１〜１７と電気的に接続されている。
【００２１】
ＩＣカード認識部１１は、ＩＣカード５を挿入等することによりＩＣカード５を認識する接触型でもよいし、所定の位置にＩＣカード５をかざす（置く）ことによりＩＣカード５を認識する非接触型（図３のＩＣカード載置部２１）であってもよい。
【００２２】
入金額設定／決定部１７は、判定部１６によって判定された結果に基づいて少なくとも商品等の支払金額を満たすだけの金額を設定するとともにＩＣカード５に入金する入金額を決定する。また、入金額が利用者によって入力された場合は、その入金額が支払金額を満たすだけの金額であれば、その金額が入金額として設定されるとともに決定される。
【００２３】
なお、メニューパネル装置１０は、ＩＣカード５と接続されＩＣカード５に対して情報の読出／記録が可能な端末として機能する。また、読出部１２は、ＩＣカードに記憶されている電子マネー情報を読み出すための読出手段として機能する。また、判定部１６は、電子マネー情報と支払金額とを比較して、当該電子マネー情報が支払金額を満たしているか否かを判定するための不足金発生判定手段として機能する。また、入金額設定／決定部１７は、少なくとも商品等の支払金額を満たすだけの金額を設定するとともに入金額を決定するための入金額決定手段として機能する。また、通信部１５は、サーバ３０からの情報を送受信するための情報送信手段、受信手段として機能する。また、記録部１３は、電子マネー情報をＩＣカード５に記録するための記録手段として機能する。
【００２４】
次に、サーバ３０は、メニューパネル装置１０、所定の金融機関４０の本店４５、又は支店４５ａの管理端末４７、４８と相互に情報を送受信するための通信部３１と、所定の情報を記憶する記憶部３２と、振込元金融機関と同一金融機関の同一本店、又は同一支店の口座に振込処理を指示するための振込指示部３３と、所定の金融機関４０から即時に発行される振込手続完了通知により振込手続が完了したことを確認する振込手続完了確認部３４と、振込手続完了通知に基づいて電子マネー情報を更新するための更新部３５と、振込元金融機関口座、及び振込先金融機関口座を特定するための口座特定部３６と、各部３１〜３６を制御するための制御部３７と、を備える。また、制御部３７は各部３１〜３６と電気的に接続される。
【００２５】
記憶部３２には、ＩＣカード５ごとに電子マネー情報を管理する貨幣情報管理データベース３２ａと、利用者によって指定される振込元金融機関に対応する振込先金融機関口座情報を管理する振込先金融機関口座情報データベース３２ｂと、を備えている。
【００２６】
制御部３７は、ＩＣカード５に記憶されている振込元金融機関口座情報が単数、又は複数ある場合において、当該ＩＣカード５に記憶されている振込元金融機関口座情報の順に、当該振込元金融機関口座情報により指定される振込元金融機関口座の振込元金融機関と接続し、入金額と振込元金融機関口座に預金されている預金額とを比較して、入金額以上の金額が振込元金融機関の口座に預金されているか否かを判定したり、入金額と振込元金融機関口座の残融資限度額とを比較して、残融資限度額が入金額以上の金額であるか否かを判定したり、入金額と、振込元金融機関口座に預金されている預金額と当該振込元金融機関口座の残融資限度額とを合算した額と、を比較して、合算額が入金額以上の金額であるか否かを判定する。また、利用者によって、振込元金融機関口座を指定できるようにしてもよい。その場合は、指定される振込元金融機関口座の振込元金融機関と接続して、振込元金融機関の口座に入金額以上の金額が預金等されているか否かを判定する。なお、残融資限度額とは、振込元金融機関口座が銀行により当座貸越、自動融資等が受けられる口座である場合、融資を受けられる限度額（以下、「融資限度額」と称する。）から利用者が融資を受けている額（以下、「融資済み額」と称する。）を減算した額である。
【００２７】
口座特定部３６は、上記制御部３７によって判定された結果に基づいて振込元金融機関口座を特定する。また、特定された振込元金融機関口座に基づいて記憶部３２に記憶されている振込先金融機関口座情報データベース３２ｂを参照して、振込先金融機関口座を特定する。また、具体的には、口座特定部３６は、振込元金融機関と同一金融機関の同一本店、又は同一支店の振込先金融機関口座を特定する。
【００２８】
なお、通信部３１は、メニューパネル装置１０、又は所定の金融機関４０の本店４５、又は支店４５ａの管理端末４７、４８からの情報を送受信するための情報受信手段、通知受信手段、及び更新情報送信手段として機能する。また、口座特定部３６は、予めＩＣカード５に記憶されている単数又は複数の振込元金融機関口座情報から振込元金融機関口座を特定するための振込元金融機関口座特定手段、及び振込先金融機関口座を特定するための振込先金融機関口座特定手段として機能する。また、振込指示部３３は、振込元金融機関口座から振込先金融機関口座へ振込指示するための振込指示手段として機能する。また、更新部３５は、電子マネー情報を更新するための電子マネー情報更新手段として機能する。また、制御部３７は、振込元金融機関口座の、残預金額と、残融資限度額と、残預金額と残融資限度額とを合算した額と、のいずれか１つが前記入金額以上であるか否かを判定するための残高判定手段として機能する。
【００２９】
次に、所定の金融機関４０の本店４５、又は支店４５ａの管理端末４７、４８は、サーバ３０と相互に情報を送受信するための通信部４１と、サーバ３０からの振込指示に基づいて、所定の口座に振込処理するための振込処理部４２と、振込手続処理が完了した旨の通知を発行する振込手続処理完了通知発行部４３と、各部４１〜４３を制御する制御部４４と、を備えている。また、制御部４４は、各部４１〜４３と電気的に接続される。
【００３０】
―商品等の支払処理における不足金発生時の自動入金処理―
次に、例えば、ファミリーレストラン等の店舗においてメニューパネル装置を使用して商品を注文し支払をする際において、電子マネーとして機能するＩＣカードの残高が支払金額よりも少ない場合のＩＣカードへの入金処理について図４のフローチャートを用いて説明する。なお、理解し易いように、図１、図２に対応する符号を記載するがこの実施形態に限定されるものではない。
【００３１】
まず、顧客はメニューパネル装置１０により、食べ物等の商品を選択し注文を行う。顧客は、商品の選択後、ＩＣカード５により支払をするためにメニューパネル装置１０の注文／購入ボタン２２ｅを押下する。
【００３２】
ステップＳ１０１では、メニューパネル装置１０の制御部１８は、利用者によって注文／購入ボタン２２ｅが押下されたか否かを判断する。この判断が肯定されれば、ステップＳ１０２に進み、否定されれば注文／購入ボタン２２ｅが押下されるまで待機する。
【００３３】
次に、ステップＳ１０２では、メニューパネル装置１０の制御部１８は、顧客が注文した商品の支払金額を算出する。
【００３４】
次に、ステップＳ１０３では、メニューパネル装置１０の制御部１８は、ＩＣカード５がＩＣカード載置部２１にセットされているか否かを判断する。この判断が肯定されれば、ステップＳ１０４に進み、否定されればＩＣカード５をセットする旨の表示を行い、ＩＣカード５がセットされるまで待機する。
【００３５】
次に、ステップＳ１０４では、メニューパネル装置１０の読出部１２は、ＩＣカード５に記憶されているユーザＩＤ情報、振込元金融機関口座情報、電子マネー情報等を読み出す。
【００３６】
次に、ステップＳ１０５では、メニューパネル装置１０の判定部１６は、ＩＣカード５によって支払できるか否かを判定する。具体的には、ＩＣカード５に記憶されている電子マネー情報と支払金額とを比較して、電子マネー情報が支払金額を満たしているか否かを判断する。この判断が肯定されれば、通常の支払処理を実行し、否定されれば、ステップＳ１０６に進む。
【００３７】
次に、ステップＳ１０６では、メニューパネル装置１０の入金額設定／決定部１７は、支払金額、及び電子マネー情報に基づいて不足額を算出し、その不足額、又はその不足額に基づいて不足額を満たすだけの金額を入金する入金額を設定するとともに当該入金額を決定する。決定された入金額は、メニューパネル装置１０の制御部１８によって、表示部２５に表示する。
【００３８】
また、入金額は、不足額に基づいて予め定められた金額が設定される。例えば、設定金額が、５０００円、１００００円、３００００円、５００００円に設定されている場合において、不足額が２０００円であればその不足額を満たす値であって設定金額に一番近い値、即ち５０００円というように、不足額分を越えたある一定の金額が設定される。また、入金額は、顧客自身に入金額を入力してもらい、その金額が設定されるようにしてもよい。また、入金額は、不足額分の金額が設定されるようにしてもよい。また、入金額は、不足額に予め定められた一定の追加承諾金額（例えば、１００００円）を追加した金額が設定されるようにしてもよい。
【００３９】
次に、ステップＳ１０７では、メニューパネル装置１０の制御部１８は、ＩＣカード５の記憶部７に記憶されている振込元金融機関口座情報が１以上登録されているか否かを判断する。この判断が肯定されればステップＳ１０８に進み、否定されれば、ステップＳ３０１に進み、振込元金融機関口座情報の登録処理を行う。
【００４０】
ステップＳ１０８では、メニューパネル装置１０の制御部１８は、少なくとも振込元金融機関口座情報、電子マネー情報、及びステップＳ１０６で決定された入金額情報を表示部２５に表示する。その際、振込元金融機関口座情報が複数登録されている場合は、メニューパネル装置１０の制御部１８は、すべての振込元金融機関口座情報を読み出し、当該情報を表示部２５に表示する。
【００４１】
ステップＳ１０９では、メニューパネル装置１０の制御部１８は、利用者が振込元金融機関口座情報を変更するか否かを判断する。具体的には、メニューパネル装置１０の登録変更ボタン２２ｂが押下されたか否かを判断する。この判断が肯定されれば、ステップＳ３０１に進み登録変更処理を実行し、この判断が否定されればステップＳ１１０に進む。
【００４２】
ステップＳ１１０では、メニューパネル装置１０の制御部１８は、利用者が所定の振込元金融機関口座の預金残高を参照するか否かを判断する。具体的には、メニューパネル装置１０の残高照会ボタン２２ｃが押下されたか否かを判断する。この判断が肯定されれば、ステップＳ４０１に進み、残高照会処理を実行して、ステップＳ１１１に進む。また、この判断が否定されればステップＳ１１１に進む。
【００４３】
次に、ステップＳ１１１では、メニューパネル装置１０の通信部１５は、サーバ３０に振込元金融機関口座情報と入金額情報を送信する。
【００４４】
ステップＳ１１２では、サーバ３０の通信部３１は当該情報を受信する。
【００４５】
次に、ステップＳ１１３では、サーバ３０の制御部３７は、振込元金融機関口座情報に基づいて所定の金融機関４０の本店４５、又は支店４５ａの管理端末４７、４８と接続し、口座情報（残高情報）を取得する。
【００４６】
ステップＳ１１４では、サーバ３０の制御部３７は、入金額情報が残高情報以下であるか否かを判断する。この判断が肯定されれば、ステップＳ１１８に進み、否定されれば、ステップＳ１１５に進む。
【００４７】
ステップＳ１１５では、サーバ３０の制御部３７は、他の振込元金融機関口座情報が有るか否かを判断する。この判断が肯定されれば、ステップＳ１１３に戻り、否定されれば、ステップＳ１１６に進む。
【００４８】
ステップＳ１１６では、サーバ３０の制御部３７は、支払不可情報をメニューパネル装置１０に送信する。
【００４９】
ステップＳ１１７では、メニューパネル装置１０の通信部１５は、支払不可情報を受信するとともに、制御部１８によって、支払不可である（支払いできない）旨をメニューパネル装置１０の表示部２５に表示し、処理を終了する。
【００５０】
ステップＳ１１８では、サーバ３０の口座特定部３６は、振込元金融機関口座を特定する。具体的には、ステップＳ１１３〜ステップＳ１１６においては、サーバ３０の制御部３７は、ＩＣカード５に記憶されている振込元金融機関口座情報が１つであれば、当該振込元金融機関口座情報により指定される振込元金融機関と接続し、当該振込元金融機関口座の残預金額、残融資限度額、残預金額と残融資限度額とを合算した額、のいずれか１つが入金額以上であるか否かを判定し、その判定結果に基づいて、サーバ３０の口座特定部３６は、振込元金融機関口座を特定する。また、ＩＣカード５に記憶されている振込元金融機関口座情報が複数ある場合は、ＩＣカード５に記憶されている振込元金融機関口座情報の順に、振込元金融機関口座情報により指定される振込元金融機関口座の振込元金融機関と接続し、前記振込元金融機関口座の、残預金額と、残融資限度額と、残預金額と残融資限度額とを合算した額と、のいずれか１つが入金額以上であるか否かを判定し、その判定結果に基づいて、サーバ３０の口座特定部３６は、振込元金融機関口座を特定する。このようにすれば、複数の振込元金融機関口座情報がＩＣカードに記憶されていれば、サーバ３０の制御部３７が複数の振込元金融機関口座情報の中から入金可能な振込元金融機関を探し出すことができる。また、預金残高が入金額未満であっても、融資可能な口座等であれば、振込元金融機関口座として決定できる。
【００５１】
次に、ステップＳ１１９では、特定された振込元金融機関口座に対応する振込先金融機関口座を記憶部３２に記憶された振込先金融機関口座情報データベース３２ｂを参照して特定する。具体的には、特定された振込元金融機関口座の金融機関と同一金融機関の同一本店、又は同一支店の振込先金融機関口座を特定する。
【００５２】
ステップＳ１２０では、サーバ３０の振込指示部３３は、利用者により指定された振込元金融機関４０の本店４５、又は支店４５ａの管理端末４７、４８に、振込元金融機関口座から振込先金融機関口座に所定の入金額を振り込む旨の指示をする。振込元金融機関４０の本店４５、又は支店４５ａの管理端末４７、４８の振込処理部４２は、この振込指示に基づいて、所定の口座に振込処理を行う。また、振込手続処理完了通知発行部４３は、当該振込処理の手続が完了した旨の通知を発行する。
【００５３】
次に、ステップＳ１２１では、振込元金融機関４０の本店４５、又は支店４５ａの管理端末４７、４８の通信部４１は、当該通知をサーバ３０に送信する。
【００５４】
ステップＳ１２２では、サーバ３０の通信部３１は、当該通知を受信する。
【００５５】
次に、ステップＳ１２３では、サーバ３０の振込手続完了確認部３４は、当該通知に基づいて振込手続処理が完了したことを確認する。
【００５６】
ステップＳ１２４では、サーバ３０の制御部３７は、当該通知に基づいて、貨幣情報管理データベース３２ａに記憶されている利用者の電子マネー情報に当該振込金額に対応する金額分の度数加算するとともに、加算された電子マネー情報から支払金額を減算して、電子マネー情報を更新する。
【００５７】
次に、ステップＳ１２５では、サーバ３０の通信部３１は、当該更新された電子マネー情報をメニューパネル装置１０に送信する。
【００５８】
ステップＳ１２６では、メニューパネル装置１０の通信部１５は、当該電子マネー情報を受信する。
【００５９】
ステップＳ１２７では、メニューパネル装置１０の記録部１３は、ＩＣカード５に当該電子マネー情報を記録（更新）して処理を終了する。
【００６０】
−登録・変更処理−
次に、ＩＣカードへの振込元金融機関口座情報の登録、及びＩＣカードに記憶されている振込元金融機関口座情報の変更処理について説明する。
【００６１】
ＩＣカード５に１以上の振込元金融機関口座情報が登録されていない場合には、振込元金融機関口座情報をＩＣカード５の記憶部７に記憶しておく必要がある。また、振込元金融機関の変更等にともない、ＩＣカード５の記憶部７に記憶されている振込元金融機関口座情報を変更する必要がある。
【００６２】
以下、振込元金融機関口座情報の登録処理について図５のフローチャートを用いて説明する。なお、ステップＳ１０７において、ＩＣカード５の記憶部７に少なくとも１以上の振込元金融機関口座情報が登録されていない場合、及びステップＳ１０９において、ＩＣカードに記憶されている振込元金融機関口座情報を変更等する場合には、振込元金融機関口座情報の登録処理プログラムが起動し、処理手順がメニューパネル装置１０の表示部２５に表示される。利用者は、表示部２５に表示された処理手順にしたがって、指定・選択・入力等を行い振込元金融機関口座情報の登録処理を行う。
【００６３】
ステップＳ３０１では、メニューパネル装置１０の制御部１８は、カード暗証番号が登録済みか否かを判断する。この判断が肯定されれば（登録済みであれば）、ステップＳ３０９に進み、否定されれば（新規登録であれば）、ステップＳ３０２に進む。
【００６４】
ステップＳ３０２では、メニューパネル装置１０の記録部１３は、利用者によって入力されたカード暗証番号をＩＣカード５の記憶部７に記録（登録）する。
【００６５】
ステップＳ３０３では、利用者は、新規の振込元金融機関名、本／支店名を指定、又は入力する。
【００６６】
ステップＳ３０４では、預金種別、名義人名、口座暗証番号、口座番号等を入力する。
【００６７】
次に、ステップＳ３０５では、メニューパネル装置１０の制御部１８は、利用者によって指定・入力された振込元金融機関名、本／支店名、口座番号等の振込元金融機関口座情報を表示部２５に表示する。ここで、利用者は表示部２５に表示された振込元金融機関口座情報が適正であれば、実行ボタン２２ａを押下する。
【００６８】
次に、ステップＳ３０６では、メニューパネル装置１０の制御部１８は、実行ボタン２２ａが押下されたか否かを判断する。この判断が肯定されれば、ステップＳ３０８に進み、否定されれば、ステップＳ３０７に進む。
【００６９】
ステップＳ３０７では、メニューパネル装置１０の制御部１８は、利用者によってキャンセルされたか否かを判断し、登録処理を終了する。
【００７０】
次に、ステップＳ３０８では、メニューパネル装置１０の記録部１３は、ＩＣカード５の記憶部７に振込元金融機関口座情報等を記録し、登録処理を終了する。
【００７１】
このようにすれば、新規に振込元金融機関口座情報をＩＣカード５に記憶できる。
【００７２】
次に、ステップＳ３０９では、利用者は、登録されているカード暗証番号を入力する。
【００７３】
ステップＳ３１０では、メニューパネル装置１０の読出部１２は、ＩＣカード５に記憶されている振込元金融機関口座情報を読み出し、制御部１８によって、表示部２５に当該振込元金融機関口座情報を表示する。
【００７４】
ステップＳ３１１では、利用者は、変更したい箇所を指定する。
【００７５】
次に、ステップＳ３１２では、利用者は、変更（変更箇所の入力等）、又は削除し、実行ボタン２２ａを押下する。
【００７６】
ステップＳ３１３では、メニューパネル装置１０の制御部１８は、実行ボタン２２ａが押下されたか否かを判断する。この判断が肯定されれば、ステップＳ３１５に進み、否定されれば、ステップＳ３１４に進む。
【００７７】
ステップＳ３１４では、メニューパネル装置１０の制御部１８は、利用者によってキャンセルされたか否かを判断し、変更処理を終了する。
【００７８】
ステップＳ３１５では、メニューパネル装置１０の記録部１３は、ＩＣカード５の記憶部７に変更した振込元金融機関口座情報等を記録し、変更処理を終了する。
【００７９】
このようにすれば、ＩＣカード５の記憶部７に記憶されている振込元金融機関口座情報の変更・削除ができる。
【００８０】
また、通常は、ＩＣカード５の記憶部７に記憶されている振込元金融機関口座情報は登録の順番が優先順位となる。この優先順位は、予めＩＣカード５の記憶部７に記憶されている振込元金融機関口座情報に対応させて優先順位を記憶させておき、その優先順位順に振込元金融機関口座情報が読み出されるようにしてもよい。
【００８１】
−残高照会処理−
次に、ＩＣカードに登録されている振込元金融機関口座の残高を閲覧するための残高照会処理について図６のフローチャートを用いて説明する。
【００８２】
まず、ステップＳ４０１では、メニューパネル装置１０の読出部１２は、ＩＣカード５の記憶部７に記憶されているすべての振込元金融機関口座情報を読み出し、表示部２５に表示する。利用者は残高照会したい振込元金融機関口座を指定する。
【００８３】
次に、ステップＳ４０２では、メニューパネル装置１０の制御部１８は、指定された振込元金融機関口座を表示部２５に表示するとともに、利用者に口座暗証番号の入力を促す。利用者は口座暗証番号を入力する。
【００８４】
次に、ステップＳ４０３では、メニューパネル装置１０の制御部１８は、入力された口座暗証番号と予め振込元金融機関口座情報としてＩＣカード５に登録されている口座暗証番号とを照合し、一致するか否かを判断する。この判断が肯定されれば、ステップＳ４０５に進み、否定されれば、ステップＳ４０４に進む。
【００８５】
ステップＳ４０４では、メニューパネル装置１０の制御部１８は、利用者によってキャンセルされたか否かを判断する。この判断が肯定されれば、残高照会処理を終了し、否定されれば、ステップＳ４０２に戻り、口座暗証番号を入力し直す。
【００８６】
次に、ステップＳ４０５では、メニューパネル装置１０の通信部１５は、サーバ３０を介して、所定の振込元金融機関４０の本店４５、又は支店４５ａの管理端末４７、４８に預金残高、及び／又は当座貸越／自動融資残限度額（残融資限度額）（以下、「残高情報」と称する。）についての残高照会要求を送信する。
【００８７】
ステップＳ４０６では、振込元金融機関４０の本店４５、又は支店４５ａの管理端末４７、４８の通信部（受信部）４１は、当該残高照会要求を受信する。また、振込元金融機関４０の本店４５、又は支店４５ａの管理端末４７、４８の通信部（送信部）４１は、サーバ３０を介して、メニューパネル装置１０に残高照会要求に基づいて残高情報を送信する。
【００８８】
ステップＳ４０７では、メニューパネル装置１０の通信部１５は、当該情報を受信する。
【００８９】
ステップＳ４０８では、メニューパネル装置１０の制御部１８は、当該残高情報を表示部２５に表示する。
【００９０】
次に、ステップＳ４０９では、メニューパネル装置１０の制御部１８は、他の振込元金融機関口座の残高を参照するか否かを判断する。具体的には、参照する場合は、利用者によって実行ボタン２２ａが押下されるので、制御部１８は、実行ボタン２２ａが押下されたか否かを判断する。この判断が肯定された場合は、ステップＳ４０１に戻り、否定された場合は、照会処理を終了する。
【００９１】
以上に説明したように、ＩＣカード５の記憶部７に記憶されている所定の振込元金融機関口座の残高を参照することができる。このようにすれば、所定の振込元金融機関口座に残高があるか否かを確認することができるので、確実にＩＣカード５に所定の金額を入金することができる。
【００９２】
―ＩＣカードへの手動入金処理―
また、電子マネーとして機能するＩＣカードの残高が少ないことを知っている場合には、店舗における商品の支払時でなくともメニューパネル装置を使用してＩＣカードへの入金を行うことができる。
【００９３】
次に、ＩＣカードに入金する際の処理について図８のフローチャートを用いて説明する。なお、理解し易いように、図１、図２に対応する符号を記載するがこの実施形態に限定されるものではない。
【００９４】
まず、利用者がＩＣカードに手動入金する際には、まず、メニューパネル装置１０の入金ボタン２２ｄを押下する。
【００９５】
ステップＳ５０１では、メニューパネル装置１０の制御部１８は、利用者によって入金ボタン２２ｄが押下されたか否かを判断する。この判断が肯定されれば、ステップＳ５０２に進み、否定されれば入金ボタン２２ｄが押下されるまで待機する。
【００９６】
次に、ステップＳ５０２では、メニューパネル装置１０の制御部１８は、ＩＣカード５がＩＣカード載置部２１にセットされているか否かを判断する。この判断が肯定されれば、ステップＳ５０３に進み、否定されればＩＣカード５をセットする旨の表示を行い、ＩＣカード５がセットされるまで待機する。
【００９７】
次に、ステップＳ５０３では、メニューパネル装置１０の読出部１２は、ＩＣカードに記憶されているユーザＩＤ、カード暗証番号、振込元金融機関口座情報、電子マネー情報を読み出す。
【００９８】
次に、ステップＳ５０４では、利用者はカード暗証番号を入力する。
【００９９】
次に、ステップＳ５０５では、メニューパネル装置１０の制御部１８は、入力されたカード暗証番号とステップＳ５０３で読まれたＩＣカード５に登録されているカード暗証番号とを照合し、一致するか否かを判断する。この判断が肯定されれば、ステップＳ５０７に進み、否定されれば、ステップＳ５０６に進む。
【０１００】
ステップＳ５０６では、メニューパネル装置１０の制御部１８は、利用者によってキャンセルされたか否かを判断する。この判断が肯定されれば、処理を終了し、否定されれば、ステップＳ５０４に戻り、カード暗証番号を入力し直す。
【０１０１】
次に、ステップＳ５０７では、メニューパネル装置１０の制御部１８は、ＩＣカード５に少なくとも１つ以上の振込元金融機関口座情報の登録が有るか否かが判断される。この判断が肯定されれば、ステップＳ５０８に進み、否定されれば、ステップＳ３０１に進み、振込元金融機関口座情報の登録処理を行う。
【０１０２】
ステップＳ５０８では、メニューパネル装置１０の制御部１８は、少なくとも振込元金融機関口座情報、電子マネー情報を表示部２５に表示する。その際、振込元金融機関口座情報が複数登録されている場合はすべての振込元金融機関口座情報を表示する。
【０１０３】
ステップＳ５０９では、メニューパネル装置１０の制御部１８は、利用者が表示された振込元金融機関口座の登録を変更するか否かを判断する。具体的には、メニューパネル装置１０の登録変更ボタン２２ｂが押下されたか否かを判断する。この判断が肯定されれば、ステップＳ３０１に進み登録変更処理を実行し、この判断が否定されればステップＳ５１０に進む。
【０１０４】
ステップＳ５１０では、メニューパネル装置１０の制御部１８は、利用者が所定の振込元金融機関の預金残高を照会するか否かを判断する。具体的には、メニューパネル装置１０の残高照会ボタン２２ｃが押下されたか否かを判断する。この判断が肯定されれば、ステップＳ４０１に進み、残高照会処理を実行して、ステップＳ５１１に進む。また、この判断が否定されればステップＳ５１１に進む。
【０１０５】
ステップＳ５１１では、メニューパネル装置１０の制御部１８は、利用者が振込元金融機関口座を指定するか否かを判断する。この判断が肯定されれば、ステップＳ５１２に進み、否定されれば、ステップＳ５１３に進む。
【０１０６】
ステップＳ５１２では、利用者によって振込元金融機関口座が指定される。
【０１０７】
ステップＳ５１３では、利用者によって入金額が入力される。
【０１０８】
次に、ステップＳ５１４では、メニューパネル装置１０の通信部１５は、振込元金融機関口座情報と入金額情報とをサーバ３０に送信する。
【０１０９】
次に、ステップＳ５１５では、サーバ３０の通信部３１は、振込元金融機関口座情報と入金額情報とを受信する。
【０１１０】
次に、ステップＳ５１６では、サーバ３０の制御部３７は、振込元金融機関口座情報に基づいて所定の金融機関４０の本店４５、又は支店４５ａの管理端末４７、４８と接続し、口座情報（残高情報）を取得する。
【０１１１】
ステップＳ５１７では、サーバ３０の制御部３７は、入金額情報が残高情報以下であるか否かを判断する。この判断が肯定されれば、ステップＳ５２１に進み、否定されれば、ステップＳ５１８に進む。
【０１１２】
ステップＳ５１８では、サーバ３０の制御部３７は、他の振込元金融機関口座情報が有るか否かを判断する。この判断が肯定されれば、ステップＳ５１６に戻り、他の振込元金融機関口座情報に基づいて所定の金融機関４０の本店４５、又は支店４５ａの管理端末４７、４８と接続し、口座情報（残高情報）を取得する。また、否定されれば、ステップＳ５１９に進む。
【０１１３】
ステップＳ５１９では、サーバ３０の制御部３７は、入金不可情報をメニューパネル装置１０に送信する。
【０１１４】
ステップＳ５２０では、メニューパネル装置１０の通信部１５は、入金不可情報を受信するとともに、制御部１８によって、入金不可である（入金できない）旨をメニューパネル装置１０の表示部２５に表示し、処理を終了する。
【０１１５】
ステップＳ５２１では、サーバ３０の口座特定部３６は、振込元金融機関口座を特定する。具体的には、ステップＳ５１６〜ステップＳ５１８においては、ステップＳ５１２で振込元金融機関が利用者によって単数指定された場合には、当該振込元金融機関の口座を振込元金融機関口座として特定する。その場合、例えば、サーバ３０の制御部３７は、当該振込元金融機関口座情報により指定される振込元金融機関と接続し、当該振込元金融機関口座の、残預金額、残融資限度額、残預金額と残融資限度額とを合算した額、のいずれか１つが入金額以上であるか否かを判定し、その判定結果に基づいて、サーバ３０の口座特定部３６は、振込元金融機関口座を特定する。また、ステップＳ５１２で振込金融機関が利用者によって複数指定された場合には、当該指定された振込元金融機関口座情報の順に、振込元金融機関口座情報により指定される振込元金融機関口座の振込元金融機関と接続し、当該振込元金融機関口座の、残預金額と、残融資限度額と、残預金額と残融資限度額とを合算した額と、のいずれか１つが入金額以上であるか否かを判定し、その判定結果に基づいて、サーバ３０の口座特定部３６は、振込元金融機関口座を特定する。
【０１１６】
また、他の形態として、ステップＳ５１１で利用者によって振込元金融機関の指定がされていない場合には、サーバ３０の制御部３７は、ＩＣカード５に記憶されている振込元金融機関口座情報が１つであれば、当該振込元金融機関口座情報により指定される振込元金融機関と接続し、当該振込元金融機関口座の残預金額、残融資限度額、残預金額と残融資限度額とを合算した額、のいずれか１つが入金額以上であるか否かを判定し、その判定結果に基づいて、サーバ３０の口座特定部３６は、振込元金融機関口座を特定する。また、ＩＣカード５に記憶されている振込元金融機関口座情報が複数ある場合は、ＩＣカード５に記憶されている振込元金融機関口座情報の順に、振込元金融機関口座情報により指定される振込元金融機関口座の振込元金融機関と接続し、前記振込元金融機関口座の、残預金額と、残融資限度額と、残預金額と残融資限度額とを合算した額と、のいずれか１つが入金額以上であるか否かを判定し、その判定結果に基づいて、サーバ３０の口座特定部３６は、振込元金融機関口座を特定する。このようにすれば、複数の振込元金融機関口座情報がＩＣカード５に記憶されていれば、サーバ３０の制御部３７が複数の振込元金融機関口座情報の中から入金可能な振込元金融機関を探し出すことができる。また、預金残高が入金額未満であっても、融資可能な口座等であれば、振込元金融機関口座として決定できる。
【０１１７】
次に、ステップＳ５２２では、特定された振込元金融機関口座に対応する振込先金融機関口座を記憶部３２に記憶された振込先金融機関口座情報データベース３２ｂから特定する。具体的には、特定された振込元金融機関口座の金融機関と同一金融機関の同一本店、又は同一支店の振込先金融機関口座を特定する。
【０１１８】
ステップＳ５２３では、サーバ３０の振込指示部３３は、利用者により指定された振込元金融機関４０の本店４５、又は支店４５ａの管理端末４７、４８に、振込元金融機関口座から振込先金融機関口座に所定の入金額を振り込む旨の指示をする。振込元金融機関４０の本店４５、又は支店４５ａの管理端末４７、４８の振込処理部４２は、この振込指示に基づいて、所定の口座に振込処理を行う。また、振込手続処理完了通知発行部４３は、当該振込処理の手続が完了した旨の通知を即時に発行する。
【０１１９】
次に、ステップＳ５２４では、振込元金融機関４０の本店４５、又は支店４５ａの管理端末４７、４８の通信部４１は、当該通知をサーバ３０に送信する。
【０１２０】
ステップＳ５２５では、サーバ３０の通信部３１は、当該通知を受信する。
【０１２１】
次に、ステップＳ５２６では、サーバ３０の振込手続完了確認部３４は、当該通知に基づいて振込手続処理が完了したことを確認する。
【０１２２】
ステップＳ５２７では、サーバ３０の制御部３７は、当該通知に基づいて、貨幣情報管理データベース３２ａに記憶されている利用者の電子マネー情報に当該振込金額に対応する金額分の度数加算をし、貨幣情報管理データベース３２ａの電子マネー情報を更新する。
【０１２３】
次に、ステップＳ５２８では、サーバ３０の通信部３１は、当該更新された電子マネー情報をメニューパネル装置１０に送信する。
【０１２４】
ステップＳ５２９では、メニューパネル装置１０の通信部１５は、当該電子マネー情報を受信する。
【０１２５】
ステップＳ５３０では、メニューパネル装置１０の記録部１３は、ＩＣカード５に当該電子マネー情報を記録（更新）して処理を終了する。
【０１２６】
以上に説明したように、本願の電子マネーの入金処理システムは、ＩＣカード５に記憶されている電子マネー情報が商品等の支払金額に満たない場合の電子マネーの入金処理システムであって、予め電子マネー情報と振込元となる少なくとも１つの振込元金融機関口座情報とを記憶するための記憶部７を備えるＩＣカード５と、ＩＣカード５と接続され、ＩＣカード５に対して情報の読出／記録が可能な端末１０と、端末１０と通信回線を介して接続されているサーバ３０と、を具備し、端末１０は、ＩＣカード５に記憶されている電子マネー情報を読み出すための読出部１２と、電子マネー情報と支払金額とを比較して、電子マネー情報が支払金額を満たしているか否かを判定するための判定部１６と、判定結果が、電子マネー情報が支払金額に満たない場合において、少なくとも不足額を満たすだけの金額を設定し、ＩＣカード５に入金する入金額を決定するための入金額設定／決定部１７と、ＩＣカード５に記憶されている振込元金融機関口座情報と入金額情報とをサーバ３０に送信する通信部１５と、サーバ３０によって更新された電子マネー情報を受信する通信部１５と、更新された電子マネー情報をＩＣカード５に記録するための記録部１３と、を具備し、サーバ３０は、振込元金融機関口座情報と前記入金額情報とを受信する通信部３１と、電子マネー情報と、振込先金融機関口座情報と、を記憶するための記憶部３２と、予めＩＣカード５に記憶されている単数、又は複数の振込元金融機関口座情報から振込元金融機関口座を特定するための口座特定部３６と、特定される振込元金融機関口座に対応する振込先金融機関口座を特定するための口座特定部３６と、振込元金融機関に対して、決定される入金額を特定される振込元金融機関口座から振込先金融機関口座に振込指示するための振込指示部３３と、振込指示に基づいて振込元金融機関４０の本店４５、又は支店４５ａの管理端末４７、４８から振込手続処理を完了した旨の通知を受信するための通信部３１と、通知に基づいてサーバ３０の記憶部３２に記憶されている電子マネー情報に入金額を加算するとともに、入金額が加算された電子マネー情報から支払金額を減算して電子マネー情報を更新するための更新部３５と、更新された電子マネー情報を端末１０に送信するための通信部３１と、当該更新された電子マネー情報を受信するための通信部１５と、当該受信した更新された電子マネー情報をＩＣカード５に記録するための記録部１３と、を具備している。また、振込先金融機関口座は、特定される振込元金融機関口座と同一金融機関の同一本店、又は同一支店の口座である。また、口座特定部３６は、制御部３７によってＩＣカード５に記憶されている振込元金融機関口座情報が単数、又は複数ある場合において、当該ＩＣカード５に記憶されている振込元金融機関口座情報の順に、振込元金融機関口座情報により指定される振込元金融機関口座の振込元金融機関と接続し、振込元金融機関口座の、残預金額と、残融資限度額と、残預金額と残融資限度額とを合算した額と、のいずれか１つが入金額以上であるか否かを判定され、その判定結果に基づいて振込元金融機関口座を特定する。
【０１２７】
また、本発明の電子マネーの入金処理方法は、予め電子マネー情報が記憶されているＩＣカードにより商品等の支払を行う際に前記電子マネー情報が支払金額に満たない場合の電子マネー情報の入金処理方法であって、ＩＣカード５に記憶されている電子マネー情報を読み出すための読出工程と、電子マネー情報と支払金額とを比較して、電子マネー情報が支払金額を満たしているか否かを判定するための不足金発生判定工程と、判定結果が、電子マネー情報が支払金額に満たない場合において、少なくとも不足額を満たすだけの金額を設定し、入金額を決定するための入金額決定工程と、単数、又は複数の振込元金融機関口座情報から口座を特定するための振込元金融機関口座特定工程と、特定された振込元金融機関口座に対応する振込先金融機関口座を特定するための振込先金融機関口座特定工程と、振込元金融機関に対して、決定される入金額を振込元金融機関口座から振込先金融機関口座に振込指示するための振込指示工程と、振込指示に基づいて振込元金融機関の端末から振込手続処理を完了した旨の通知を受信するための通知受信工程と、通知に基づいて電子マネー情報に入金額を加算するとともに、入金額が加算された電子マネー情報から支払金額を減算して電子マネー情報を更新するための電子マネー情報更新工程と、更新された電子マネー情報をＩＣカード５に記録するための記録工程と、を具備している。
【０１２８】
このようにすれば、例えば、商品等の購入、又は注文等の支払をする際にＩＣカード５に記憶されている電子マネー残高が足りない場合でも、容易且つ確実にＩＣカード５に入金することができ、現金による入金を完全に排除できる。
【０１２９】
また、振込元金融機関口座が当座貸越又は自動融資が可能であれば、預金残高が入金額に満たなくても、当該融資範囲内の金額であれば入金できる。また、ＩＣカード５に予め複数の振込元金融機関口座情報を登録することによって、入金可能な口座を自動的に探しだして入金することができる。
【図面の簡単な説明】
【０１３０】
【図１】電子マネー入金システムの全体構成図である。
【図２】電子マネー入金システムの内部構成図である。
【図３】メニューパネル装置の外観図である。
【図４】商品等の支払処理における不足金発生時の自動入金処理を示すフローチャート図である。
【図５】ＩＣカードに記憶される金融機関情報等の登録・変更処理を示すフローチャート図である。
【図６】ＩＣカードに記憶されている金融機関の残高照会処理を示すフローチャート図である。
【図７】ＩＣカードの手動入金処理を示すフローチャート図である。
【符号の説明】
【０１３１】
５  ＩＣカード
７  記憶部
１０  メニューパネル装置（端末）
１２  読出部（読出手段）
１３  記録部（記録手段）
１５  通信部（情報送信手段、受信手段）
１６  判定部（不足金発生判定手段）
１７  入金額設定／決定部（入金額決定手段）
３０  サーバ
３１  通信部（情報受信手段、通知受信手段、更新情報送信手段）
３２  記憶部
３３  振込指示部（振込指示手段）
３５  更新部（電子マネー情報更新手段）
３６  口座特定部（振込元金融機関口座特定手段、振込先金融機関口座特定手段）
３７  制御部（残高判定手段）
１００  電子マネーの入金処理システム
【図１】
2005122472.tif 000003
【図２】
2005122472.tif 000004
【図３】
2005122472.tif 000005
【図４】
2005122472.tif 000006
【図５】
2005122472.tif 000007
【図６】
2005122472.tif 000008
【図７】
2005122472.tif 000009